(57)【要約】【課題】ディスク状記録媒体が真正なものであるか否かを、迅速に判別することのできるディスク状記録媒体を提案する。【解決手段】真正なディスク状記録媒体に記録されている第１の情報の再生に必要な第２の情報を送信し得る非接触ＩＣチップ３０が、ディスク状記録媒体自体１０（尚、そのディスク状記録媒体が収納されたケースも可）に固着されてなるディスク状記録媒体である。【選択図】　　　　　図１
2004118930.tif 000002
【特許請求の範囲】
【請求項１】
真正なディスク状記録媒体に記録されている第１の情報の再生に必要な第２の情報を送信し得る非接触ＩＣチップが、前記ディスク状記録媒体自体、又は、該ディスク状記録媒体が収納されたケースに固着されてなることを特徴とするディスク状記録媒体。
【請求項２】
前記非接触ＩＣチップは、外部からマイクロ波による電力が供給されたとき、前記第２の情報を送信する無線タグであることを特徴とする請求項１に記載のディスク状記録媒体。
【請求項３】
前記第２の情報は前記ディスク状記録媒体固有の識別情報であり、前記第１の情報は前記識別情報をキーとして再生可能となる情報であることを特徴とする請求項１又は２に記載のディスク状記録媒体。
【請求項４】
請求項１乃至３のいずれかに記載のディスク状記録媒体が装填されるスピンドルを有し、該スピンドルを介して前記ディスク状記録媒体を回転駆動する駆動手段と、
前記駆動手段による前記ディクス状記録媒体の回転中に、該ディクス状記録媒体に記録されている第１の情報を読み出す第１の読出手段と、
前記ディクス状記録媒体自体、又は、該ディクス状記録媒体が収納されたケースに固着された前記非接触ＩＣチップから前記第２の情報を非接触で読み出す第２の読出手段と、
前記第１の読出手段から読み出した第１の情報を前記第２の読出手段から読み出した第２の情報に基づいて再生可能にする再生手段と、
を備えたことを特徴とするディスク状記録媒体の再生装置。
【発明の詳細な説明】
【０００１】
【発明の属する技術分野】
本発明は、ディスク状記録媒体及びその再生装置に関する。
【０００２】
【従来の技術】
光ディスクのセキュリティ情報を光ディスク毎に変え、セキュリティ情報に応じたＣＡＶ領域をＣＤ−ＲＯＭ光ディスクのデータ領域内に設け、光ディスク再生装置が光ディスクのセキュリティ情報を検出したとき、ＣＡＶ領域が存在する場合は、光ディスクの再生を許可するようにした技術が、特許文献１に記載されている。
【０００３】
光ディスクのＴＯＣ情報の線速度を光ディスク毎に変え、この線速度に応じたＣＡＶ領域を光ディスクのデータ領域内に設け、光ディスク再生装置がＴＯＣ情報の線速度を検出して、対応するＣＡＶ領域の記録位置情報を生成し、その記録位置を検索したときＣＡＶ領域が存在する場合は、光ディスクの再生を許可するようにした技術が、特許文献２に記載されている。
【０００４】
光ディスクに記録された内容を別の光ディスクに複写するときにディスク規格上複写されず、光ディスクから情報を再生する際にディスク規格上必ず読み出される固有データが記録され、一般の情報は記録されていない第１のキー領域と、再生時に光ディスクにアクセスする際に、ディスク規格上アクセスできない第２のキー領域とを設け、第１のキー領域に、この光ディスクが他の光ディスクから複製されたものでないことを示すための第１のキーコードが埋め込まれ、第２のキー領域に、この光ディスクが他の光ディスクから複製されたものでないことを示すための第２のキーコードが埋め込まれ、光ディスク再生装置の再生手段が第１及び第２のキーコードを読み出し、その少なくとも一方が検出されなかったときは、光ディスクの再生を行わないようにした技術が、特許文献３に記載されている。
【０００５】
【特許文献１】
特開平８−１８５６５９号公報
【０００６】
【特許文献２】
特開平８−１２４３５８号公報
【０００７】
【特許文献３】
特開平９−１２８３０１号公報
【０００８】
【発明が解決しようとする課題】
上述の従来の技術は、いずれも再生装置の光学ヘッドによって、光ディスクの記録データを読み出すことによって、その光ディスクが真正なものであるか否かを判別するようにしているので、その判別に時間が掛かるという欠点がある。
【０００９】
かかる点に鑑み、本発明は、ディスク状記録媒体が真正なものであるか否かを、迅速に判別することのできるディスク状記録媒体を提案しようとするものである。
【００１０】
又、本発明は、装填されたディスク状記録媒体が真正なものであるか否かを、迅速に判別することができると共に、ディスク状記録媒体が真正なものでないと判別されたときは、そのディスク状記録媒体に記録されている情報を再生することのないディスク状記録媒体の再生装置を提案しようとするものである。
【００１１】
【課題を解決するための手段】
第１の発明は、真正なディスク状記録媒体に記録されている第１の情報の再生に必要な第２の情報を送信し得る非接触ＩＣチップが、ディスク状記録媒体自体、又は、そのディスク状記録媒体が収納されたケースに固着されてなるディスク状記録媒体である。
【００１２】
第２の発明は、第１の発明のディスク状記録媒体において、非接触ＩＣチップは、外部からマイクロ波による電力が供給されたとき、第２の情報を送信する無線タグであるディスク状記録媒体である。
【００１３】
第３の発明は、第１又は第２の発明において、第２の情報はディスク状記録媒体固有の識別情報であり、第１の情報は識別情報をキーとして再生可能となる情報であるディスク状記録媒体である。
【００１４】
第４の発明は、第１乃至第３の発明のいずれかに記載のディスク状記録媒体が装填されるスピンドルを有し、そのスピンドルを介してディスク状記録媒体を回転駆動する駆動手段と、駆動手段によるディクス状記録媒体の回転中に、そのディクス状記録媒体に記録されている第１の情報を読み出す第１の読出手段と、ディクス状記録媒体自体、又は、そのディクス状記録媒体が収納されたケースに固着された非接触ＩＣチップから第２の情報を非接触で読み出す第２の読出手段と、第１の読出手段から読み出した第１の情報を第２の読出手段から読み出した第２の情報に基づいて再生可能にする再生手段と、を備えたディスク状記録媒体の再生装置である。
【００１５】
【発明の実施の形態】
以下に、図１を参照して、本発明の実施の形態のディスク状記録媒体の再生装置の一例を詳細に説明する。１０は、ディスク状記録媒体の一例であるＣＤ−ＲＯＭを示す。ＣＤ−ＲＯＭ１０のレーベル面に、非接触ＩＣチップ（無線タグ）３０が固定（貼付）されている。ＣＤ−ＲＯＭ１０の記録面であっても、データの記録されていない最内周部や最外周部に、非接触ＩＣチップ３０を固定しても良い。ディスク状記録媒体がケースに収納されている場合には、非接触ＩＣチップ３０をそのケースの外周面上の表面、裏面又は側面に固定（貼付）する。
【００１６】
この非接触ＩＣチップ３０には、真正なＣＤ−ＲＯＭ１０に記録されている第１の情報（映像データ、音声データ、プログラムデータ等）の再生に必要な第２の情報（キーとしての識別情報）を送信し得るように構成されている。
【００１７】
この第２の情報は、個々のＣＤ−ＲＯＭ１０に固有の識別情報であり、第１の情報はこの識別情報をキーとして再生可能となる情報である。尚、この第２の情報を、複数のＣＤ−ＲＯＭに共通の情報とすることもできる。
【００１８】
３２は検出装置で、ＣＤ−ＲＯＭ１０が、スピンドル１２に装着されたとき、非接触ＩＣチップ３０に非接触にアクセスして、ＣＤ−ＲＯＭ１０が真正なＣＤ−ＲＯＭであること示す第２の情報を受信し得る。
【００１９】
ＣＤ−ＲＯＭ１０は、スピンドル１２を介して、スピンドルモータ１４によって回転駆動される。このスピンドルモータ１４は、モータ制御回路２０によって制御される。
【００２０】
１６は光学ヘッド（光ピックアップ）で、ＣＤ−ＲＯＭ１０の記録データを再生する。光学ヘッド１６によって再生された記録データ、即ち、再生データと、クロックとが、ＲＦアンプ２２によって増幅された後、ＣＤ用ＤＳＰ（Ｄｉｇｉｔａｌ　Ｓｉｇｎａｌ　Ｐｒｏｃｅｓｓｏｒ）　２４に供給される。又、ＣＤ用ＤＳＰ２４よりの再生データは、ＣＤ−ＲＯＭデコーダ２６によってデコードされ、図示を省略された画像モニタに供給される。
【００２１】
１８は、光学ヘッド１６を、ＣＤ−ＲＯＭ１０の半径方向に移動させるためのスレッディングモータで、このモータ１８も、モータ制御回路２０によって制御される。このモータ制御回路２０は、ＣＤ用ＤＳＰ２４によって制御される。
【００２２】
２８は制御用マイクロコンピュータで、ＣＤ用ＤＳＰ２４、ＣＤ−ＲＯＭデコーダ２６等を制御する。
【００２３】
図１のブロック図と、図２のフローチャートとを参照して、再生装置に装填されたＣＤ−ＲＯＭ１０が、真正なＣＤ−ＲＯＭであるか否かの判別について説明する。
【００２４】
ＣＤ−ＲＯＭ１０を再生装置に装填して（ステップＳ１）、スピンドル１２に装着する。
【００２５】
検出装置３２が、非接触ＩＣチップ３０に非接触にアクセスして、非接触ＩＣチップ３０から、ＣＤ−ＲＯＭ１０が真正なＣＤ−ＲＯＭであることを示す第２の情報を受信したか否かを判別する（ステップＳ１２）。
【００２６】
ステップＳ１２の判別でＹＥＳのときは、ステップＳ１４に移行して、検出装置３２が受信した第２の情報を制御用マイクロコンピュータ２８に供給し、制御用マイクロコンピュータ２８はＣＤ−ＲＯＭ１０の再生を許可し（ステップＳ１４）、その第２情報をキーとして、ＣＤ−ＲＯＭ１０から記録データ（第１の情報）が再生されるように、再生装置の各部を制御する。
【００２７】
ステップＳ１２の判別でＮＯのときは、ステップＳ１６に移行して、検出装置３２は、ＣＤ−ＲＯＭ１０が真正なＣＤ−ＲＯＭであることを示す情報を受信しなかった旨の情報を制御用マイクロコンピュータ２８に供給し、制御用マイクロコンピュータ２８は、ＣＤ−ＲＯＭ１０からの記録データ（第１の情報）の再生を不許可にし、その記録データが再生されないように、再生装置の各部を制御する。
【００２８】
次に、図３を参照して、非接触ＩＣチップ３０及び検出装置３２の動作について説明する。検出装置３２は、アンテナ３２Ａ及びこれに接続された読取装置３２Ｂを備えている。アンテナ３２Ａは、読取装置３２Ｂからの制御信号に基づいて、非接触ＩＣチップ３０に対し、マイクロ波を照射して、非接触ＩＣチップ３０に電力を供給する。
【００２９】
次に、図４を参照して、非接触ＩＣチップ３０の具体的構成例（特開２０００−２９３６５６号公報参照）を説明する。３０Ａは、ＩＣチップを構成する半導体ベースを示す。この半導体ベース３０Ａは、後述するアンテナ３０Ｆと共に、紙などのフレキシブルな素材に漉き込み、又は、挟み込むことが可能な微細なものである。
【００３０】
３０ＢはＣＰＵ部で、メモリ部３０Ｃに記憶されているプログラムに従って処理を実行する。アンテナ／電源回路部３０Ｄは、マイクロ波の検波及び変復調と、アンテナ／電源回路部３０Ｄに接続されたアンテナ３０Ｆによるマイクロ波の受信に基づくＩＣチップへの電源の供給とを行う。そして、アンテナ／電源回路部３０Ｄは、アンテナ３０Ｆによって、マイクロ波を利用して、読取装置３２Ｂと非接触で、情報をリード／ライトする。これらＣＰＵ部３０Ｂ、メモリ部３０Ｃ及びアンテナ／電源回路部３０Ｄは、半導体ベース３０Ａ上に形成されると共に、半導体ベース３０Ａ上に形成された、電源供給路及び信号線を含むバス３０Ｅによって、互いに接続される。
【００３１】
次に、検出装置３２及び非接触ＩＣチップ３０の動作を説明する。非接触ＩＣチップ３０は、アンテナ３０Ｆによって、検出装置３２のアンテナ３２Ａから送信されるマイクロ波を受信し、その受信したマイクロ波を、アンテナ／電源回路部３０Ｄによって、電源電圧に変換する。ＣＰＵ部３０Ｂは、その非接触ＩＣチップ３０が固着されているＣＤ−ＲＯＭ１０（又は、非接触ＩＣチップ３０が固着されているケースに収納されているＣＤ−ＲＯＭ）は、真正なＣＤ−ＲＯＭであることを示す第２の情報を発生する。その第２の情報は、アンテナ／電源回路部３０Ｄに供給されて、マイクロ波を変調し、その第２の情報によって変調されたマイクロ波を、アンテナ３０Ｆから送信する。この第２の情報で変調されたマイクロ波は、検出装置３２のアンテナ３２Ａによって受信される。アンテナ３２Ａによる受信信号が読取装置３２Ｂに供給される。読取装置３２Ｂは、第２の情報で変調されたマイクロ波を復調して、第２の情報を読み取る。この第２の情報は、コンピュータ３４に供給される。このコンピュータ３４は、図１の再生装置の制御用マイクロコンピュータ２８に相当し、図１の再生装置において、ＣＤ−ＲＯＭ１０に記録されている第２の情報（映像データ、音声データ、プログラムデータ等）の再生が可能となる。
【００３２】
この場合の第２の情報が、再生装置に装填されているＣＤ−ＲＯＭ１０に固有の識別情報（この識別情報は、ＣＤ−ＲＯＭ１０にも記録されており、再生装置において、これらの識別情報の一致、不一致を検出すことになり、不一致の場合は、第１の情報の再生は不可となる）である場合には、この識別情報をキーとして、第１の情報を再生する。
【００３３】
上述の例では、ディスク状記録媒体が、ＣＤ−ＲＯＭである場合について述べたが、これに限られるものではなく、光ディスク、光磁気ディスク、磁気ディスク等の種々のディスク状記録媒体が可能である。又、これら各種のディスクは、ケースに収納されているもの、されていないもののいずれであっても良い。
【００３４】
【発明の効果】
第１の発明によれば、真正なディスク状記録媒体に記録されている第１の情報の再生に必要な第２の情報を送信し得る非接触ＩＣチップが、ディスク状記録媒体自体、又は、そのディスク状記録媒体が収納されたケースに固着されてなるので、ディスク状記録媒体に記録されている情報を再生する必要がなく、非接触ＩＣチップから送信される第２の情報を受信することによって、ディスク状記録媒体が真正なものであるか否かを、迅速に判別することのできるディスク状記録媒体を得ることができる。
【００３５】
第２の発明によれば、第１の発明のディスク状記録媒体において、非接触ＩＣチップは、外部からマイクロ波による電力が供給されたとき、第２の情報を送信する無線タグであるので、第１の発明の効果に加えて、非接触ＩＣチップに電池等の電源電圧発生手段を設ける必要がなく、又、これにより、非接触ＩＣチップを一層小型にすることのできるディスク状記録媒体を得ることができる。
【００３６】
第３の発明によれば、第１又は第２の発明において、第２の情報はディスク状記録媒体固有の識別情報であり、第１の情報は識別情報をキーとして再生可能となる情報であるので、第１又は第２の発明の効果に加えて、ディスク状記録媒体が真正なものであるか否かの判別を、一層確実に行うことのできるディスク状記録媒体を得ることができる。
【００３７】
第４の発明によれば、第１乃至第３の発明のいずれかに記載のディスク状記録媒体が装填されるスピンドルを有し、そのスピンドルを介してディスク状記録媒体を回転駆動する駆動手段と、駆動手段によるディクス状記録媒体の回転中に、そのディクス状記録媒体に記録されている第１の情報を読み出す第１の読出手段と、ディクス状記録媒体自体、又は、そのディクス状記録媒体が収納されたケースに固着された非接触ＩＣチップから第２の情報を非接触で読み出す第２の読出手段と、第１の読出手段から読み出した第１の情報を第２の読出手段から読み出した第２の情報に基づいて再生可能にする再生手段と、を備えるので、装填されたディスク状記録媒体が真正なものであるか否かを、迅速に判別することができると共に、ディスク状記録媒体が真正なものでないと判別されたときは、そのディスク状記録媒体に記録されている情報を再生することのないディスク状記録媒体の再生装置を得ることができる。
【図面の簡単な説明】
【図１】本発明の実施の形態のディスク状記録媒体の再生装置の一例を示すブロック図である。
【図２】図１のディスク状記録媒体の再生装置の動作を示すフローチャートである。
【図３】図１のディスク状記録媒体の再生装置における非接触ＩＣチップ及び検出装置を示すブロック図である。
【図４】非接触ＩＣチップの具体構成を示すブロック図である。
【符号の説明】
１０…ＣＤ−ＲＯＭ、１２…スピンドル、１４…スピンドルモータ、１６…光学ヘッド（ピックアップ）、１８…スレッディングモータ、２０…モータ制御回路、２２…ＲＦアンプ、２４…ＣＤ用ＤＳＰ、２６…ＣＤ−ＲＯＭデコーダ、２８…制御用マイクロコンピュータ
【図１】
2004118930.tif 000003
【図２】
2004118930.tif 000004
【図３】
2004118930.tif 000005
【図４】
2004118930.tif 000006